(57)【要約】【課題】平面視ほぼコ字形の隔壁ブロックをそれぞれ廊下又は階段の方に開口して積み重ねて構築された集合住宅用後付けエレベータのかご室昇降路の隔壁構造物を改良する。【解決手段】上下に隣接する一対の隔壁ブロック３が、下側の隔壁ブロックの上面に形成された凹部１１に下部が嵌合し上側の隔壁ブロックの下面に形成された凹部１２に上部が嵌合する嵌合部材１３により、互いに水平方向にずれないように規制されているとともに、各隔壁ブロック３の内側に配したケーブル１５により最上層の隔壁ブロック３（Ａ）を下向きに引っ張り、上下に隣接する一対の隔壁ブロック３，３が互いに密接状態に保持されている構成とする。【選択図】図２
2005298098.tif 000002
【特許請求の範囲】
【請求項１】
平面視ほぼコ字形の隔壁ブロックをそれぞれ廊下又は階段の方に開口して積み重ねて構築された集合住宅用後付けエレベータのかご室昇降路の隔壁構造物において、
上下に隣接する一対の隔壁ブロックが、下側の隔壁ブロックの上面に形成された凹部に下部が嵌合し上側の隔壁ブロックの下面に形成された凹部に上部が嵌合する嵌合部材により、互いに水平方向にずれないように規制されているとともに、各隔壁ブロックの内側に配したケーブルにより最上層の隔壁ブロックを下向きに引っ張り、上下に隣接する一対の隔壁ブロックが互いに密接状態に保持されている構成としたことを特徴とする集合住宅用後付けエレベータのかご室昇降路の隔壁構造物。
【発明の詳細な説明】
【技術分野】
【０００１】
この発明は、エレベータが設置されていない既設の集合住宅に、エレベータを簡易に設置することができるようにしたエレベータのかご室昇降路の隔壁構造物に関する。
【背景技術】
【０００２】
４階建てや５階建ての中層集合住宅はエレベータが設置されていないことが多く、特に上層階の居住者にとって階段の昇り降りが大きな負担となっていた。そこで、本件出願人は、既設の中層集合住宅にエレベータを簡易に設置することを目的として、「平面形状ほぼコ字形で鉛直方向の連通孔が複数形成されたブロックを廊下又は階段の方に開口して基礎上に複数積み重ねることにより、かご室昇降路を形成し、積み重ねられるブロックの接合面に接着材を塗布することにより、各ブロックを一体化し、基礎内に下端部を埋め込んだ高張力の軸芯を、積み重ねられて連続する鉛直方向の連通孔内に挿通し、その高張力の軸芯の少なくとも上端部をブロックの最上部で引っ張り、最上層のブロックを下方へ押圧することにより、積み重ねられた各ブロック同士を締め付け、高張力の軸芯が挿通された連通孔内にモルタルを充填」してなるエレベータのかご室昇降路の隔壁構造物及びその構築方法を開発した。
【特許文献１】特許第３１６８３３７号広報
【発明の開示】
【発明が解決しようとする課題】
【０００３】
上記エレベータのかご室昇降路の隔壁構造物は、平面形状ほぼコ字形のブロックを積み重ねて構築するものであるから、現場でコンクリートを打設する必要がなく、作業が簡便で比較的短期間に構築作業を完了できるという利点がある。また、既存住宅の解体や改築が不要で、工事中に居住者に迷惑をかけることもない。
【０００４】
しかしながら、実際に施工を重ねる過程で次の問題点が明らかになってきた。第一の問題点は、各ブロックに形成された鉛直方向に連なる連通孔内に高張力の軸芯が配置されているので、隔壁構造物を構築完了後、高張力の軸芯のメンテナンスを行うことができないという点である。第二の問題点は、ブロックに連通孔が形成されているため、ブロックの肉厚をある程度確保する必要があり、ブロック１個ごとのコンクリートの量が多くなるとともに、その分だけ重量が重くなるという点である。また、第三の問題点は、高張力の軸芯としての複数本のＰＣ鋼棒をカップラで繋ぎ合わせる手間を要するとともに、そのＰＣ鋼棒が挿通された連通孔内にモルタルを充填する工程が必要であるため、全体の作業工程数が多いという点である。
【０００５】
そこで本発明は、既設の集合住宅に設置されるエレベータのかご室昇降路の隔壁構造物における上記従来の問題点を解消し、構築完了後のメンテナンスを容易にするとともに、隔壁構造物の軽量化及び工期の短縮化を図ることを課題としている。
【課題を解決するための手段】
【０００６】
上記課題を解決するために、本発明は次の構成とした。すなわち、請求項１に記載した本発明の集合住宅用後付けエレベータのかご室昇降路の隔壁構造物は、  平面視ほぼコ字形の隔壁ブロックをそれぞれ廊下又は階段の方に開口して積み重ねて構築された集合住宅用後付けエレベータのかご室昇降路の隔壁構造物において、上下に隣接する一対の隔壁ブロックが、下側の隔壁ブロックの上面に形成された凹部に下部が嵌合し上側の隔壁ブロックの下面に形成された凹部に上部が嵌合する嵌合部材により、互いに水平方向にずれないように規制されているとともに、各隔壁ブロックの内側に配したケーブルにより最上層の隔壁ブロックを下向きに引っ張り、上下に隣接する一対の隔壁ブロックが互いに密接状態に保持されている構成としたことを特徴としている。
【０００７】
この集合住宅用後付けエレベータのかご室昇降路の隔壁構造物を構築するに際しては、まず、基礎の上に最下層の隔壁ブロックを載置し、その最下層の隔壁ブロックの上面に形成された凹部に嵌合部材の下部を嵌合させ、その嵌合部材の上部が隔壁ブロックの下面に形成された凹部に嵌合するように下から２層目の隔壁ブロックを積み重ねる。同様に、上下に隣接する一対の隔壁ブロック間において、下側の隔壁ブロックの上面に形成された凹部に嵌合部材の下部が嵌合し、上側の隔壁ブロックの下面に形成された凹部に嵌合部材の上部が嵌合するように、各隔壁ブロックを積み重ねる。これにより、上下に隣接する一対の隔壁ブロックが、互いに水平方向にずれないようになる。そして、各隔壁ブロックの内側にケーブルを配し、そのケーブルの上端部を最上層の隔壁ブロック又はその上側に積み重ねた屋根等に取り付け、これを下向きに引っ張ることにより、上下に隣接する一対の隔壁ブロックを互いに密接状態に保持させる。
【発明の効果】
【０００８】
本発明による集合住宅用後付けエレベータのかご室昇降路の隔壁構造物は、上下に隣接する一対の隔壁ブロックが互いに密接状態に保持するためのケーブルが各隔壁ブロックの内側に露出して配されているので、当該ケーブルのメンテナンスが構築完了後も容易であり、また、ケーブルを挿通するための孔が隔壁ブロックに形成されていないので、該隔壁ブロックの肉厚を薄くすることができ、その分だけ各隔壁ブロックの軽量化が可能となり、さらに、ケーブルの配索が簡単で配索後の後処理も不要であるので、工期の短縮化を図れるようになった。
【発明を実施するための最良の形態】
【０００９】
以下に、水平方向に設けられた廊下２０にエレベータのかご室昇降路の隔壁構造物を併設する例（図７）と、鉛直方向に設けられた階段２１にエレベータのかご室昇降路の隔壁構造物を併設する例（図９）とを示す。
【実施例１】
【００１０】
図１乃至図５は、水平方向に設けられた廊下に併設されたエレベータのかご室昇降路の隔壁構造物を表している。この隔壁構造物１Ａは、図１及び図２に示すように、地面に施工された平面形状ロ字形の基礎２上に平面形状コ字形の隔壁ブロック３を階数分だけ積み重ね、さらに最上層の隔壁ブロック３（Ａ）の上に屋根５を取り付けてなる。図３に示すように、隔壁ブロック３の内部にはエレベータのかご室昇降路６と、かご室を昇降させる機械室７とが併設される。隔壁ブロック３の開口部は廊下２０の側に向けられ、かご室出入口２２とされる。なお、最上層の隔壁ブロック３（Ａ）は、他の隔壁ブロック３の上に平面形状ロ字形の嵩上げ部分を継ぎ足した形状になっている。
【００１１】
隔壁ブロック３には、廊下２０との架け渡しとなる橋絡部８が形成されている。橋絡部８は、廊下２０に架け渡される中間下部８ａと、転落防止のための側部８ｂとが正面形状凹字形に一体形成される。この隔壁構造物１Ａは、図７に示すような廊下２０に併設するタイプであるから、５階建ての集合住宅であれば、橋絡部８は図１及び図２に示すように５か所に形成される。橋絡部８の側部８ｂの上側には防雨スクリーン９が張られる。
【００１２】
図３及び図４に示すように、隔壁ブロック３には、上面にほぼ等間隔で円柱状の凹部１１が形成されているとともに、下面にほぼ等間隔で円柱状の凹部１２が形成されている。少なくとも、上下に隣接する一対の隔壁ブロック３，３においては、下側隔壁ブロックの上面の凹部１１と上側隔壁ブロックの下面の凹部１２とが平面視同位置に形成されている。これら上下に隣接する一対の隔壁ブロック３，３の凹部１１，１２には、円柱状の嵌合部材１３が、その下部が下側隔壁ブロックの上面の凹部１１に嵌合し、その上部が上側隔壁ブロックの下面の凹部１２に嵌合するように装入されている。
【００１３】
屋根５は、平面形状が隔壁ブロック３よりも一回り大きく、上面は廊下２０側を低くした傾斜面とされ、その低い側以外の３方に凸条が形成されている。そして、屋根５の低くなった側に、樋１４が取り付けられている。
【００１４】
屋根５と基礎２との間には、各隔壁ブロック３の内側四隅に上下に配した４本のケーブル１５が設けられている。ケーブル１５の下端部には支圧板１６が取り付けられ、該支圧板ごとケーブル１５の下端部を基礎２に埋め込むことにより、ケーブル１５が基礎２から抜けないようにしている。また、図５に示すように、ケーブル１５の上端部には外周部に雄ねじが形成された雄ねじ部材１７が取り付けられており、そのケーブル１５の上端部を屋根５の上面に形成された座穴部１８内まで引き上げて、雄ねじ部材１７にナット１９を螺着している。ナット１９と座穴部１８の底面との間にはドーナツ盤状の支圧板１６が介装されている。ナット１９を締めると、ケーブル１５が強く引っ張られて高張力状態になり、それによって各隔壁ブロック３の接合面同士が互いに密着する。
【００１５】
ケーブル１５としては、例えば図６に示すように、ＰＣ鋼撚り線の心線１５ａ及び側線１５ｂをそれぞれエポキシ樹脂１５ｃで被覆したもの（商品面「ＳＣストランド」、黒沢建設株式会社）が好適である。
【００１６】
次に、この隔壁構造物１Ａの構築方法について説明する。まず、四隅にケーブル１５の下端部を埋め込んだ基礎２を施工する。その基礎２の上に最下層の隔壁ブロック３を載置する。最下層の隔壁ブロック３の上面に形成された凹部１１に嵌合部材１３の下部を嵌合させる。次いで、前記嵌合部材１３の上部が下面に形成された凹部１２に嵌合するように、下から２層目の隔壁ブロック３を最下層の隔壁ブロック３の上に積み重ねる。以下同様に、上下に隣接する一対の隔壁ブロック３，３間において、下側の隔壁ブロック３の上面に形成された凹部１１に嵌合部材１３の下部が嵌合し、上側の隔壁ブロック３の下面に形成された凹部１２に嵌合部材１３の上部が嵌合するように、各隔壁ブロックを積み重ねる。最後に、最上層の隔壁ブロック３（Ａ）の上面にコーキング材を塗布し、その上に屋根５をボルト等によって取り付ける。
【００１７】
このように各隔壁ブロック３，…及び屋根５の積み重ねが完了したならば、屋根５の座穴部１８内にドーナツ盤状の支圧板１６を装入し、その支圧板１６の穴を通してケーブル１５の上端部を屋根５の座穴部１８内まで引き上げ、該上端部に取り付けられている雄ねじ部材１７にナット１９を螺着する。そして、ナット１９を締めて、各隔壁ブロック３の接合面同士が互いに適度に密着するように、ケーブル１５の張力を調節する。これにて、隔壁構造物１Ａが完成する。他方、この隔壁構造物１Ａを構築した部分の廊下２０の安全柵が撤去され、エレベータのかご室の乗降口とされる。
【００１８】
隔壁構造物１Ａで囲まれた内部は、かご室昇降路６と、かご室を昇降させるための機械室７として使用される。かご室昇降路６内にはかご室が配備され、機械室７には機械が設置される。隔壁ブロック３の開口部には扉（図示せず）が取り付けられて、かご室出入口２２となる。また、橋絡部８の表面等が塗装され、橋絡部８の中間下部８ａと廊下２０との間に鋼板が載せられる。
【００１９】
次に、図９に示すような鉛直方向に設けられた階段２１に併設する集合住宅用後付けエレベータのかご室昇降路の隔壁構造物１Ｂについて、図８を参照しながら特徴的な部分について説明する。図８に示すような各住居の出入口から、く字形状に往復する階段２１の場合は、折り返す場所に設けられた踊場２１ａが建物の外側に向いている。この踊場２１ａは、５階建ての中層住宅であれば、１階と２階との間、２階と３階との間、３階と４階との間、及び４階と５階との間にそれぞれ設けられている。これら全ての踊場２１ａの部分をエレベータのかご室出入口とすることも可能であるが、エレベータの停止場所を少なくするため、ここでは、かご室出入口２２は、地上部、２階と３階との間の踊場２１ａ、４階と５階との間の踊場２１ａの３か所に設けることにする。
【００２０】
２階の居住者は、地上までの階段２１の上り下りに大きな負担はなく、エレベータを使用する必要があるときは、階段２１を通常の半分だけ上ることにより、２階と３階との間の踊場２１ａに設けられたかご室出入口２２を使用することができる。３階の居住者は、階段２１を通常の半分だけ下りることにより、また、２階と３階との間の踊場２１ａに設けられたかご室出入口２２を使用することができる。４階の居住者は階段２１を通常の半分だけ上ることにより、５階の居住者は階段２１を通常の半分だけ下りることにより、それぞれ４階と５階との間の踊場２１ａに設けられたかご室出入口２２を使用することができる。したがって、１階と２階との間の踊場２１ａ、及び３階と４階との間の踊場２１ａにかご室出入口２２を設けなくても、どの階の居住者も平等にエレベータを使用することができる。
【００２１】
このようにかご室出入口２２を３か所に設ける場合、橋絡部８が形成された隔壁ブロック３と橋絡部８が形成されていない隔壁ブロック３とを交互に積み重ねてかご室の昇降路を形成する。各隔壁ブロック３は凹部１１，１２に嵌合させた嵌合部材１３により、互いに水平方向にずれないように位置規制されるとともに、屋根５と基礎２との間に高張力状態で設けたケーブル１５により、互いに密着状態に保持される。具体的な構築方法は、実施例１の場合と同じである。
【産業上の利用可能性】
【００２２】
本発明によるエレベータのかご室昇降路の隔壁構造物は、集合住宅に限らず、事務所、工場、店舗等のあらゆる建物に適用できる。
【図面の簡単な説明】
【００２３】
【図１】集合住宅用後付けエレベータのかご室昇降路の隔壁構造物の概略斜視図である。
【図２】隔壁構造物の側面断面図である。（実施例１）
【図３】図２のＳ−Ｓ断面図である。
【図４】上下に隣接する一対の隔壁ブロックの接合部の拡大断面図である。
【図５】ケーブル上端部の屋根への取り付け部の断面図である。
【図６】ケーブルの斜視図である。
【図７】図２に示す隔壁構造物を集合住宅に設置した状態の斜視図である。
【図８】隔壁構造物の側面断面図である。（実施例２）
【図９】図８に示す隔壁構造物を集合住宅に設置した状態の斜視図である。
【符号の説明】
【００２４】
１Ａ，１Ｂ  隔壁構造物
２  基礎
３  隔壁ブロック
５  屋根
６  エレベータのかご室昇降路
７  機械室
１１  隔壁ブロックの上面に形成された凹部
１２  隔壁ブロックの下面に形成された凹部
１３  嵌合部材
１５  ケーブル
２０  廊下
２１  階段
２２  かご室出入口
【図１】
2005298098.tif 000003
【図２】
2005298098.tif 000004
【図３】
2005298098.tif 000005
【図４】
2005298098.tif 000006
【図５】
2005298098.tif 000007
【図６】
2005298098.tif 000008
【図７】
2005298098.tif 000009
【図８】
2005298098.tif 000010
【図９】
2005298098.tif 000011